(57)【特許請求の範囲】
【請求項１】
一方の面が遊技面とされた、ポリメタクリル酸メチル又はポリカーボネートを用いてなる基盤を有し、且つ該基盤の遊技面において開口して設けられた多数の下穴に、釘をそれぞれ部分的に圧入することにより、該基盤に対して、該釘を多数固定してなる弾球遊技機用遊技盤において、
前記下穴が、前記基盤に対して、該基盤を貫通して設けられていると共に、該下穴の形状が、前記釘の胴部の外径よりも大きな内径を有する、該基盤の遊技面側の開口部からなる大径部と、該釘の胴部の外径よりも小さな内径を有する、該遊技面側の開口部を除く部分からなる小径部とを備えた段付形状とされており、更に、該釘が、該下穴の大径部の内周面と非接触とされた状態で、該下穴の小径部に圧入されており、
前記基盤の前記遊技面に、該基盤よりも線膨張係数が小さいポリエチレンテレフタレート又はポリエチレンテレフタレートよりも線膨張係数が小さい合成樹脂を用いてなる樹脂フィルムが被着されると共に、該基盤に形成された前記下穴に対応する該樹脂フィルム部分に、該下穴の前記大径部の内径と同一か又はそれよりも大きな内径を有する挿通孔が設けられて、前記釘が、該挿通孔を通じて、該樹脂フィルムを挿通して、該下穴の前記小径部に圧入されており、
前記下穴の大径部の内径の最大値が、前記釘の頭部の直径以下とされて
いることを特徴とする弾球遊技機用遊技盤。
【請求項２】
前記下穴の大径部の最大深さが、該下穴の全体の深さの３０％以下とされている請求項１に記載の弾球遊技機用遊技盤。
【請求項３】
前記下穴の小径部に圧入される前記釘の胴部部位に、ネジ山が設けられている請求項１または２のうちの何れか１項に記載の弾球遊技機用遊技盤。
【請求項４】
前記請求項１乃至請求項３のうちの何れか１項に記載の遊技盤を備えていることを特徴とする弾球遊技機。
【発明の詳細な説明】
【技術分野】
【０００１】
本発明は、弾球遊技機用遊技盤及び弾球遊技機に係り、特に、合成樹脂材料を用いてなる基盤に多数の釘が固定された弾球遊技機用遊技盤と、そのような遊技盤を備えた弾球遊技機の改良に関するものである。
【背景技術】
【０００２】
よく知られているように、弾球遊技機は、前面を遊技面とした遊技盤を有している。そして、この遊技盤の遊技面には、多数の釘（遊技釘や障害釘等と称される）が、頭部と胴部の一部とを遊技面から一定の高さで突出させた状態で、部分的に固定されており、遊技球が、それらの釘に当たって跳ね返り、進路（流路）を変化させながら、遊技面上を流下（落下）せしめられるようになっている。
【０００３】
ところで、そのような弾球遊技機の一種たるパチンコ機等は、近年、液晶等の画像表示装置が、遊技盤の中央部に設置されてなるものが主流となっており、また、最近では、かかる画像表示装置として、大画面表示が可能な大きな表示部を備えた装置が多く用いられる傾向にある。そのため、パチンコ機全体の軽量化のために、遊技盤として、合成樹脂材料のみにて構成されたものや、木粉や細かい木片を合成樹脂材料で固めてなるもの等も、従来の木製合板（例えば、ベニヤ等）に代えて、使用されるようになってきている。また、パチンコ機等における画像表示装置の設置構造も、木製合板からなる遊技盤に窓部を設けて、この窓部に画像表示装置を設置する従来構造に代えて、例えば、光透過性を有する合成樹脂製の遊技盤を用い、この遊技盤の背面（後面）側に画像表示装置を設置してなる構造のものが、徐々に増えつつある。何故なら、後者の構造によれば、表示部の大きな画像表示装置の設置のための大型の窓部を形成する必要がなく、それ故に、そのような大型の窓部の形成による遊技盤の強度の低下が、未然に防止され得るからである。しかしながら、そのような合成樹脂材料を用いてなる遊技盤は、木製合板からなる遊技盤とは異なって、多数の釘が直接に打ち付けられると、釘の打付け部に「ヒビ」や「割れ」等が生ずる恐れがあるといった問題が内在していた。
【０００４】
そこで、下記特許文献１等には、一方の面が遊技面とされた合成樹脂製の基盤を有し、且つかかる基盤の遊技面において開口して設けられた多数の下穴に、釘をそれぞれ部分的に圧入することにより、基盤に対して、釘を多数固定してなる弾球遊技機用遊技盤が、提案されている。この遊技盤においては、下穴が釘の胴部にて押し広げられることによって釘が固定されるため、釘の打ち込みによる遊技盤への「ヒビ」や「割れ」の発生が効果的に防止され得る。
【０００５】
ところが、下記特許文献１等において提案される弾球遊技機用遊技盤にあっては、釘が固定される基盤が合成樹脂材料をベースとするものあるところから、かかる基盤の剛性が、従来の木製合板からなる基盤よりも低くなってしまうことが避けられなかった。そして、そのために、遊技球が当たったときの釘の反発弾性力が弱くなって、遊技球の跳返り量が小さくなってしまい、その結果、遊技の面白味が損なわれるといった問題が惹起されていたのである。
【先行技術文献】
【特許文献】
【０００６】
【特許文献１】特許第４００５２３４号公報
【発明の概要】
【発明が解決しようとする課題】
【０００７】
ここにおいて、本発明は、上述せる如き事情を背景にして為されたものであって、その解決課題とするところは、合成樹脂材料を用いてなる基盤を有し、且つかかる基盤に設けられた多数の下穴のそれぞれに、釘が圧入、固定されてなる弾球遊技機用遊技盤であって、釘に当たったときの遊技球の跳ね返りが十分に大きくなるように改良された構造を有する遊技盤を提供することにある。また、本発明にあっては、そのような遊技盤を備えた弾球遊技機を提供することをも、その解決課題とするところである。
【課題を解決するための手段】
【０００８】
そして、本発明にあっては、上記した課題又は明細書全体の記載や図面から把握される課題を解決するために、以下に列挙せる如き各種の態様において、有利に実施され得るものであり、また、以下に記載の各態様は、任意の組合せにおいても採用可能である。なお、本発明の態様乃至は技術的特徴は、以下に記載のものに何等限定されることなく、明細書全体の記載並びに図面に開示乃至は示唆される発明思想に基づいて認識され得るものであることが、理解されるべきである。
【０００９】
（１）  一方の面が遊技面とされた、ポリメタクリル酸メチル又はポリカーボネートを用いてなる基盤を有し、且つ該基盤の遊技面において開口して設けられた多数の下穴に、釘をそれぞれ部分的に圧入することにより、該基盤に対して、該釘を多数固定してなる弾球遊技機用遊技盤において、前記下穴が、前記基盤に対して、該基盤を貫通して設けられていると共に、該下穴の形状が、前記釘の胴部の外径よりも大きな内径を有する、該基盤の遊技面側の開口部からなる大径部と、該釘の胴部の外径よりも小さな内径を有する、該遊技面側の開口部を除く部分からなる小径部とを備えた段付形状とされており、更に、該釘が、該下穴の大径部の内周面と非接触とされた状態で、該下穴の小径部に圧入されていること、前記基盤の前記遊技面に、該基盤よりも線膨張係数が小さいポリエチレンテレフタレート又はポリエチレンテレフタレートよりも線膨張係数が小さい合成樹脂を用いてなる樹脂フィルムが被着されると共に、該基盤に形成された前記下穴に対応する該樹脂フィルム部分に、該下穴の前記大径部の内径と同一か又はそれよりも大きな内径を有する挿通孔が設けられて、前記釘が、該挿通孔を通じて、該樹脂フィルムを挿通して、該下穴の前記小径部に圧入されていることおよび、前記下穴の大径部の内径の最大値が、前記釘の頭部の直径以下とされていること、を特徴とする弾球遊技機用遊技盤。なお、ここで言う樹脂フィルムとは、樹脂材料を用いて薄い平板状乃至は薄膜状に形成された樹脂成形品を言い、フィルムは勿論、シート状のものも含む。以下、同じ意味において使用する。
【００１２】
（２） 前記下穴の大径部の最大深さが、該下穴の全体の深さの３０％以下とされている上記態様（１）に記載の弾球遊技機用遊技盤。
【００１３】
（３） 前記下穴の小径部に圧入される前記釘の胴部部位に、ネジ山が設けられている上記態様（１）または（２）に記載の弾球遊技機用遊技盤。
【００１４】
（４） 上記態様（１）乃至（３）のうちの何れか一つに記載の遊技盤を備えていることを特徴とする弾球遊技機。
【発明の効果】
【００１５】
このような本発明に従う構造を有する弾球遊技機用遊技盤にあっては、基盤に固定された釘に遊技球が当たったときに、その衝撃により撓み変形せしめられる釘の胴部の変形部分は、下穴の小径部に圧入されて、基盤に拘束された胴部部位を除く部分、つまり、基盤の遊技面から突出する胴部部位と、下穴の大径部内に、その内周面と非接触で位置する胴部部位とを合わせた部分となる。
【００１６】
これに対して、釘の胴部の外径よりも小さな一定の大きさの内径をもって延びる下穴内に釘が圧入されて、基盤に釘が固定された従来の弾球遊技機用遊技盤では、基盤に固定された釘に遊技球が当たったときに、その衝撃により撓み変形せしめられる釘の胴部の変形部分は、下穴に圧入されて、基盤に拘束された胴部部位を除く部分、つまり、基盤の遊技面から突出する胴部部位のみとなる。
【００１７】
それ故、本発明に係る遊技盤においては、従来の遊技盤に比して、遊技球が当たったときに撓み変形せしめられる釘の胴部の変形部分の長さが、下穴の大径部の深さに相当する分だけ長く為され、それによって、遊技球が当たったときの釘の反発弾性力が、十分に且つ有利に確保され得る。
【００１８】
従って、かくの如き本発明に従う構造を有する弾球遊技機用遊技盤にあっては、釘に当たったときの遊技球の跳返り量が、効果的に大きく為され得る。そして、その結果として、遊技面上を流下する遊技玉の進路が、より不規則なものとなって、遊技の際の面白味が、極めて有利に増大せしめられ得ることとなるのである。
【００１９】
また、本発明に係る弾球遊技機用遊技盤では、下穴が、基盤を貫通して設けられているところから、何等かの理由で、釘が、胴部の中間部で折れてしまったときに、例えば、下穴内に圧入された胴部部分のみの状態で遊技盤の基盤に固定されたまま残存する釘を、遊技面側から下穴内に押し込んで、遊技面とは反対の裏面側の下穴の開口部を通じて、下穴内から取り出すことが出来る。このときにも、釘が、基盤に対して、何等打ち込まれることがないため、基盤に「ヒビ」や「割れ」等が生ずることが、効果的に防止され得る。従って、本発明に従う弾球遊技機用遊技盤にあっては、釘が折れた際等の修理が容易であり、またそれによって、優れたメンテナンス性が確保され得るのである。
【００２０】
そして、本発明に従う構造を有する弾球遊技機においては、上述せる如き優れた特徴を発揮する遊技盤を備えているため、かかる遊技盤において奏される作用・効果と実質的に同一の作用・効果が、極めて有効に享受され得る。
【図面の簡単な説明】
【００２１】
【図１】本発明に従う構造を有する遊技盤の一例を備えた弾球遊技機を示す正面説明図である。
【図２】図１におけるII−II断面説明図である。
【図３】図２のIII−III断面における部分拡大説明図である。
【図４】図１に示される弾球遊技機の遊技盤に固定された釘を示す正面説明図である。
【図５】図１に示される弾球遊技機の遊技盤に設けられた下穴を説明するための遊技盤の部分断面図である。
【図６】従来の弾球遊技機の遊技盤の温度降下時における形状変化の状態を模式的に示す説明図である。
【図７】本発明に従う構造を有する遊技盤の別の例を示す図３に対応する図である。
【発明を実施するための形態】
【００２２】
以下、本発明を更に具体的に明らかにするために、本発明の実施の形態について、図面を参照しつつ、詳細に説明することとする。
【００２３】
先ず、図１には、本発明に従う構造を有する遊技盤の一実施形態を備えた弾球遊技機としてのパチンコ機が、その正面形態において、概略的に示され、また、図２には、かかるパチンコ機の断面形態が、概略的に示されている。それらの図から明らかなように、パチンコ機１０は、従来と同様に、矩形の外枠１２と、外枠１２の前側において、ガラス板１３が嵌め込まれて配置された状態で、外枠１２に対して回動可能に取り付けられた前枠１４と、前枠１４の背面に位置固定に設けられた取付枠１６とを有し、この取付枠１６に対して、本実施形態の遊技盤１８が取り付けられている。
【００２４】
そして、かかる本実施形態の遊技盤１８は、無色透明な基盤２０と、この基盤２０の前面に対して、その略前面を覆うように、所定の接着剤層（図示せず）を介して貼り合わされた、所定の絵柄が印刷された樹脂フィルム２２とにて、構成されている。
【００２５】
この遊技盤１８を構成する基盤２０は、例えば、ポリメタクリル酸メチル（ＰＭＭＡ）やポリカーボネート（ＰＣ）等の樹脂材料を用いて形成された、１０ｍｍ程度の厚さを有する矩形の平板からなっている。そして、樹脂フィルム２２の被着面とは反対側の背面の略中央部に、各種の画像情報を表示するための液晶ディスプレイ装置２４が設置されている。また、この基盤２０においては、樹脂フィルム２２が被着される前面が、遊技球たるパチンコ球が流下せしめられる遊技面２６とされており、この遊技面２６に対して、打ち出されたパチンコ球を案内するガイドレール２８が設置されていると共に、かかるガイドレール２８に案内されて、遊技面２６の上方部に運ばれた後、遊技面２６上を流下するパチンコ球の進路（流路）を変化させる釘３０や風車３２が多数固定され、更に、チューリップやポケットと称される入賞装置３４が、複数個取り付けられている。
【００２６】
かかる基盤２０に被着された樹脂フィルム２２は、一般に、ポリエチレンテレフタレート（ＰＥＴ）等の樹脂材料を用いて形成されている。その厚さは、特に限定されるものではないものの、一般に、３０〜２００μｍ程度とされる。本実施形態では、この樹脂フィルム２２の厚さが５０μｍとされている。また、図示されてはいないものの、そのような樹脂フィルム２２に印刷された絵柄等を保護するために、樹脂フィルム２２と同一又は別の種類の樹脂材料からなる保護フィルムが、樹脂フィルム２２の基盤２０側とは反対側の全面を覆うように、所定の接着剤層を介して貼り合わされることが、望ましい。この保護フィルムの厚さは、好適には３０〜２００μｍの範囲内の値とされ、一般には、１００μｍ程度とされる。
【００２７】
そして、本実施形態の遊技盤１８においては、釘が基盤に打ち付けられてなる従来品（図示せず）とは異なって、図３に示されるように、基盤２０に多数（図３には一つのみを示す）の下穴３６が設けられて、それら各下穴３６に釘３０が圧入されることにより、多数の釘３０が、遊技面２６から一部を突出させた状態で、基盤２０に固定されている。
【００２８】
より詳細には、図４から明らかなように、ここでは、基盤２０の遊技面２６に固定される釘３０が、細長い丸棒状の胴部３８の長さ方向の一端部に、略半球状の頭部４０が設けられた金属製の有頭釘からなっている。また、この釘３０においては、胴部３８の頭部４０側とは反対の先端側の外周面にねじ山（雄ねじ）が設けられて、そのような先端側部位が、ねじ部４２とされている。
【００２９】
なお、かかる釘３０の各部位の寸法等は、特に限定されるものではなく、従来と同様な大きさとされており、例えば、全長：Ｌａが２７．５ｍｍ程度、胴部３８の長さ：Ｌｂが２６ｍｍ程度、ねじ部４２の長さ：Ｌｃが５ｍｍ程度、頭部４０の直径：Ｍａが４．２ｍｍ程度、胴部３８の直径：Ｍｂが１．８ｍｍ程度とされている。
【００３０】
また、図５に示されるように、遊技盤１８の基盤２０に設けられた下穴３６は、基盤２０の遊技面２６に直交する水平面：α（図５に二点鎖線で示す）に対して、所定の傾斜角：θをもって傾斜する状態で、基盤２０を板厚方向に貫通して延びる円形の貫通孔にて、構成されている。なお、この下穴３６の水平面：αに対する傾斜角：θは、例えば、５〜１５°程度とされている。
【００３１】
そして、かかる下穴３６にあっては、遊技面２６において開口する開口部側の部分が、一定の内径をもって延びる大径部４４とされている一方、そのような開口部側部分（大径部４４）を除く部分が、大径部４４よりも小さな一定の内径で延びる小径部４６とされて、内周面が、段付の円筒面形状とされている。また、下穴３６の小径部４６は、その内径：Ｍｃが、釘３０の胴部３８の直径：Ｍｂより所定寸法だけ小さな寸法とされている。
【００３２】
また、基盤２０の遊技面２６に被着された樹脂フィルム２２にも、それを貫通する挿通孔４７が、基盤２０の下穴３６に対応する位置に、それぞれ１個ずつ形成されている。本実施形態では、この挿通孔４７が、下穴３６の大径部４４の内径と同一の内径を有する円形形状を呈している。
【００３３】
そして、図３に示される如く、釘３０が、樹脂フィルム２２の挿通孔４７を通じて、樹脂フィルム２２を挿通して、基盤２０の下穴３６内に突入せしめられている。また、かかる状態下で、釘３０の胴部３８の先端側（頭部４０とは反対側）に位置する、ねじ部４２を含む先端側胴部部分３８ａが、下穴３６の小径部４６内に圧入されている。換言すれば、ここでは、釘３０の胴部３８の先端側胴部部分３８ａのうち、下穴３６の小径部４６に圧入される圧入部位に、ねじ山が形成されたねじ部４２が設けられているのである。
【００３４】
このように、本実施形態では、下穴３６が、基盤２０に対して所定の傾斜角：θをもって傾斜して設けられているところから、釘３０が、下穴３６の傾斜角：θに一致した角度で傾斜せしめれた状態で、基盤２０（遊技面２６）に固定されている。また、釘３０の先端側胴部部分３８ａにねじ部４２が設けられているため、釘３０が、下穴３６の小径部４６の内周面に対してねじ込まれるように圧入され、以て、釘３０の下穴３６内からの容易な抜出しが阻止されるように、基盤２０での釘３０の保持強度が、有効に高められている。これによって、遊技性が十分に確保され得る遊技盤２０の良好な使用状態が、安定的に確保され得るようになっている。なお、下穴３６の小径部４６の内径：Ｍｃは、釘３０の胴部３８の直径：Ｍｂよりも小さくされておれば、その具体的な寸法が、特に限定されるものではないものの、本実施形態では、かかる小径部４６の内径：Ｍｃが、例えば１．７５ｍｍ程度とされている。
【００３５】
一方、下穴３６の大径部４４の内径：Ｍｄは、釘３０の胴部３８の直径：Ｍｂよりも所定寸法だけ大なる寸法とされている。これにより、小径部４６内に圧入された釘３０の先端側胴部部分３８ａよりも胴部３８の長さ方向中間部側に位置する中間胴部部分３８ｂが、大径部４４の内周面と非接触とされた状態で、大径部４４内に挿入位置せしめられ、また、釘３０の胴部３８のうちの先端側胴部部分３８ａと中間胴部部分３８ｂとを除いた部分、つまり胴部３８のうちの頭部側に位置する頭部側胴部部分３８ｃが、基盤２０の遊技面２６上に突出位置せしめられている。
【００３６】
かくして、本実施形態においては、釘３０の胴部３８のうち、下穴３６の小径部４６内に圧入された先端側胴部部分３８ａのみが、基盤２０にて拘束されている。そして、それによって、図３に示されるように、遊技面２６上を流下せしめられるパチンコ球４８（図３に二点鎖線で示す）が釘３０に当たったときに、その衝撃力により、かかる釘３０の胴部３８が、下穴３６の小径部４６内に圧入された先端側胴部部分３８ａでは撓み変形不能とされるものの、下穴３６の大径部４４内に挿入された中間胴部部分３８ｂと、遊技面２６から突出せしめられた頭部側胴部部分３８ｃとにおいて、撓み変形せしめられるようになっている。
【００３７】
すなわち、本実施形態の遊技盤１８では、遊技面２６に固定された釘３０にパチンコ球４８が当たったときに、その衝撃力により撓み変形せしめられる釘３０の胴部３８部分の長さが、遊技面２６から突出せしめられた頭部側胴部部分３８ｃの長さ：Ｌｄに、下穴３６の大径部４４内に挿入された中間胴部部分３８ｂの長さ：Ｌｅを加えた長さとされている。
【００３８】
ここで、公知の如く、釘が、その胴部の外径よりも小さな一定の大きさの内径をもって延びるようにして基盤に設けられた下穴内に圧入されることにより、基盤に固定されてなる従来の遊技盤では、基盤に固定された釘にパチンコ球が当たったときに撓み変形せしめられる釘の胴部部分が、遊技面から突出せしめられた頭部側胴部部分のみとされる。つまり、従来の遊技盤においては、パチンコ球が当たったときに撓み変形せしめられる釘の胴部部分の長さが、遊技面から突出せしめられた頭部側胴部部分の長さのみとなっている。
【００３９】
それ故、本実施形態の遊技盤１８においては、従来の遊技盤に比して、パチンコ球４８が当たったときに撓み変形せしめられる釘３０の胴部３８部分の長さが、中間胴部部分３８ｂの長さ：Ｌｅ、換言すれば、下穴３６の大径部４４の深さ：Ｄａ（なお、ここでは、下穴３６が傾斜して延びる形態を有しているため、中間胴部部分３８ｂの長さ：Ｌｅに相当する大径部４４の深さ：Ｄａは、釘３０の胴部３６の中心軸に沿った深さとされる）と同一の寸法だけ長くされている。そして、それによって、パチンコ球４８が当たったときの釘３０の反発弾性力が、従来の遊技盤に固定された釘の反発弾性力に比して、効果的且つ十分に高められ得るようになっているのである。
【００４０】
なお、上述の記載から明らかなように、本実施形態では、下穴３６の大径部４４の深さ：Ｄａが大きくなる程、パチンコ球４８が当たったときの釘３０の反発弾性力が大きくなるところから、下穴３６の大径部４４の深さ：Ｄａは、可及的に大きくされていることが好ましい。しかしながら、基盤２０（遊技盤１８）が、パチンコ機１０に対して、限られたスペースの中で設置されるものであり、また、基盤２０（遊技盤１８）、更にはパチンコ機１０の重量を可及的に軽くする上で、基盤２０の厚さ：Ｔが限られた大きさとされている。そのため、下穴３６の大径部４４の深さ：Ｄａを大きくすると、釘３０の先端側胴部部分３８ａが圧入される下穴３６の小径部４６の深さ：Ｄｂが不可避的に小さくなり、それによって、釘３０の基盤２０による保持強度が低下する恐れが生ずる。それ故、そのような保持強度の低下を未然に防止する上から、下穴３６の大径部４４の最大深さ：Ｄｃは、基盤２０の厚さ：ｔに対して３０％以下とされていることが、望ましいのである。換言すれば、下穴３６の大径部４４の最大深さ：Ｄｃが、基盤２０の厚さ：ｔに対して３０％以下とされていることによって、釘３０の保持強度が有利に確保されて、より良好な使用状態、ひいては遊技の面白味が、安定的に確保され得るのである。なお、下穴３６の大径部４４の最大深さ：Ｄｃの具体的な寸法は、上記の理由から、基盤２０の厚さ：Ｔ等に応じて適宜に決定されるところであるが、ここでは、基盤２０の厚さ：Ｔが１０ｍｍ程度とされているため、下穴３６の大径部４４の最大深さ：Ｄｃが、例えば、３ｍｍ程度とされている。
【００４１】
また、下穴３６の大径部４４の内径：Ｍｄ（図５参照）は、釘３０の胴部３８の直径：Ｍｂ（図４参照）よりも大きくされておれば、その具体的寸法は、特に限定されるものではないものの、かかる大径部４４の内径：Ｍｄの最大値が、釘３０の頭部４０の直径：Ｍａ（図４参照）以下の寸法とされていることが、好ましい。
【００４２】
何故なら、図１に示されるように、例えば、風車３２の上部等には、複数の釘３０が、互いに頭部４０同士を近接位置させるように隣り合って並んで固定されるが、そのような釘３０が挿入される下穴３６の大径部４４の内径：Ｍｄが、釘３０の頭部４０の直径：Ｍａよりも大なる寸法とされていると、隣り合う釘３０の胴部３８がそれぞれ挿入される下穴３６の大径部４４同士の間に挟まれて位置する壁状の基盤２０部分の厚さが極めて薄くなり、そのために、かかる薄肉壁状の基盤２０部分の強度が著しく低いものなって、そのような薄肉壁状の基盤２０部分に容易にヒビが入ったり、破損したりする恐れが生ずるようになるからである。つまり、下穴３６の大径部４４の内径：Ｍｄの最大値が、釘３０の頭部４０の直径：Ｍａ以下の寸法とされていることによっても、遊技盤１８の良好な使用状態、更には好適な遊技性が、より長期に亘って安定的に確保され得るのである。
【００４３】
なお、下穴３６の大径部４４の内径：Ｍｄの最大値の具体的な寸法は、上記の理由から、釘３０の胴部３８の直径：Ｍｂや頭部４０の直径：Ｍａの大きさ等によって適宜に決定されるところであるが、ここでは、胴部３８の直径：Ｍｂが１．８ｍｍ程度で頭部４０の直径：Ｍａが４．２ｍｍ程度とされているため、下穴３６の大径部４４の内径：Ｍｄの最大値が、例えば１．９〜４．１ｍｍ程度の範囲内の値とされる。
【００４４】
また、下穴３６に対応して設けられた樹脂フィルム２２の挿通孔４７の内径：Ｍｅの大きさも、何等限定されるものではないものの、下穴３６の大径部４４の内径：Ｍｄと同じか又はそれよりも大きくされていることが、望ましい。これは、以下の理由からである。
【００４５】
すなわち、基盤２０と、それに被着された樹脂フィル２２ムは、共に樹脂製であるため、輸送や保管、或いは使用の状態下での温度変化に応じて、膨張と収縮とを繰り返す。また、それら基盤２０と樹脂フィルム２２は、それらを形成する樹脂材料の種類の違いにより、それぞれの線膨張係数が大きく異なり、一般的には、基盤２０よりも樹脂フィルム２２の方が、線膨張係数が小さい。例えば、本実施形態では、ＰＭＭＡからなる基盤２０の線膨張係数が８×１０-5／℃で、ＰＥＴからなる樹脂フィルム２２の線膨張係数が１．５×１０-5／℃であって、前者の値よりも後者の値の方が小さい。それ故、温度の降下時には、基盤２０は大きく収縮するのに対して、樹脂フィルム２２は余り変化しない。このため、樹脂フィルム２２の挿通孔４７の内径：Ｍｅが、基盤２０の下穴３６の大径部４４の内径：Ｍｄよりも小さい場合には、図６に模式的に示される如く、温度降下による基盤２０の収縮時に、樹脂フィルム２２の挿通孔４７の内周面が、下穴３６に圧入された釘３０の胴部３８に接触、干渉し、その結果、樹脂フィルム２２の挿通孔４７の周辺において、それを取り囲む樹脂フィルム２２部分が基盤２０の遊技面２６から剥がれて、浮き上がってしまう恐れがある。従って、環境温度変化に起因した樹脂フィルム２２の部分的な剥離を未然に防止する上から、樹脂フィルム２２の挿通孔４７の内径：Ｍｅの大きさが、基盤２０に設けられる下穴３６の大径部４４の内径：Ｍｄ以上の大きさとされていることが望ましいのである。
【００４６】
また、挿通孔４７の内径：Ｍｅの大きさが、基盤２０に設けられる下穴３６の大径部４４の内径：Ｍｄ以上とされる場合にあっても、挿通孔４７の内周面と、下穴３６に圧入された状態で、挿通孔４７の内周面と対向する釘３０の胴部３８部分の外周面との対向面間距離：Ｋ（図３参照）が小さいと、温度降下による基盤２０の収縮時に、樹脂フィルム２２の挿通孔４７の内周面が、それと対向する釘３０の胴部３８部分に接触して、干渉する可能性が高まる。それ故、かかる干渉の発生を更に確実に防止する上で、挿通孔４７は、下穴３６の大径部４４の内径：Ｍｄ以上の大きさの内径：Ｍｅを有し、且つ挿通孔４７の内周面と釘３０の胴部３８との対向面間距離：Ｋが、０．２ｍｍ以上とされていることが、更に望ましい。しかしながら、挿通孔４７の内周面と釘３０の胴部３８との対向面間距離：Ｋを余りに大きくすると、挿通孔４７の内径：Ｍｅが必要以上に大きくなって、挿通孔４７が目立つようになり、それによって、樹脂フィルム２２に印刷された絵柄の意匠性が低下する懸念が生ずる。そのため、挿通孔４７の内周面と釘３０の胴部３８との対向面間距離：Ｋは１．２ｍｍ程度以下とされていることが、好ましい。なお、ここで言う挿通孔４７の内径：Ｍｅ及び下穴３６の大径部４４の内径：Ｍｄの大きさや、挿通孔４７の内周面と釘３０の胴部３８との対向面間距離：Ｋの大きさは、それぞれ、常温（１０〜３０℃程度）の環境下で測定したときの値である。
【００４７】
以上、詳述せるように、本実施形態の遊技盤１８にあっては、遊技面２６側が大径部４４とされ、且つその反対側が小径部４６とされた段付形状を呈する下穴３６が基盤２０に設けられ、釘３０が、かかる下穴３６の大径部４４の内周面に非接触とされた状態で、小径部４６に圧入されていることにより、そのような釘３０にパチンコ球４８が当たったときの釘３０の反発弾性力が、従来の遊技盤に固定された釘の反発弾性力に比して、効果的且つ十分に高められ得るようになっている。従って、釘３０に当たったときのパチンコ球４８のパチンコ球４８の跳返り量が、効果的に大きく為され得る。そして、その結果として、遊技面２６上を流下するパチンコ球４８の進路が、より不規則なものとなって、遊技の際の面白味が、極めて有利に増大せしめられ得ることとなるのである。
【００４８】
また、かかる遊技盤１８においては、基盤２０の全面に被着された樹脂フィルム２２の下穴３６との対応部位に、下穴３６の大径部４４の内径：Ｍｄと同一の大きさ内径：Ｍｅを有する挿通孔４７が形成されていることにより、環境温度変化に起因した樹脂フィルム２２の挿通孔４７周辺での剥離が防止され得る。それ故、良好な使用状態が、より長期的且つ安定的に確保され得るのである。なお、挿通孔４７の内径：Ｍｅを下穴３６の大径部４４の内径：Ｍｄよりも大きくする場合にあっても、上記と同様な効果が得られる。
【００４９】
さらに、本実施形態の遊技盤１８では、下穴３６が、基盤２０を貫通する貫通孔によって形成されている。そのため、何等かの理由で、釘３０が、胴部３８の中間部を残して折れてしまった場合、特に、下穴３６の小径部４６内に圧入された先端側胴部部分３８ａのみを残して折れてしまった場合、或いはそのような先端側胴部部分３８ａと大径部４４に挿入された中間胴部部分３８ｂとを残して折れてしまった場合に、釘３０の残存部分を、遊技面２６側からペンチ等で引き抜くことが不能であっても、かかる釘３０の残存部分を、遊技面２６側から下穴３６内に押し込んで、遊技面２６とは反対の裏面側の下穴３６の開口部を通じて、下穴３６内から取り出すことが出来る。このとき、釘３０が、基盤２０に対して、穴部のないところに、何等打ち込まれることがないため、釘３０の打ち込みによる「ヒビ」や「割れ」等が基盤２０に生ずることが、効果的に防止され得る。従って、本実施形態の遊技盤１８においては、釘３０が折れた際等の修理が容易となっているのであり、またそれによって、優れたメンテナンス性が確保され得るのである。
【００５０】
以上、本発明の具体的な構成について詳述してきたが、これはあくまでも例示に過ぎないのであって、本発明は、上記の記載によって、何等の制約をも受けるものではない。
【００５１】
例えば、前記実施形態では、下穴３６の大径部４４の内周面が、一定の内径：Ｍｄをもって延びる円筒形状とされていたが、かかる大径部４６は、その内径：Ｍｄが、釘３０の胴部３８の直径：Ｍｂよりも大なる寸法とされておれば良く、内周面の形状は、特に限定されない。従って、例えば、図７に示されるように、下穴３６の大径部４４の内周面形状を、小径部４６側から遊技面２６での開口部側に向かって徐々に大径化するテーパ面形状と為すことも出来る。また、図示されてはいないものの、大径部４４の内周面形状を、小径部４６側から遊技面２６での開口部側に向かって徐々に大径化する凸状湾曲面形状や凹状湾曲面形状、或いは複数段の段付形状とすることも可能である。勿論、そうした際には、大径部４４の内径：Ｍｄの最小値が、釘３０の胴部３８の直径：Ｍｂよりも大なる寸法とされている必要があり、また、その最大値が、好ましくは、釘３０の頭部４０の直径：Ｍａ以下の寸法とされる。更に、下穴３６の大径部４４の内周面形状に応じて、樹脂フィルム２２の挿通孔４７の形状も、適宜に変更され得る。なお、図７に示された実施形態については、図１乃至図５に示された前記実施形態と同様な構造とされた部材及び部位について、図１乃至図５と同一の符号を付すことにより、その詳細な説明は省略した。
【００５２】
また、前記実施形態では、遊技盤１８が、基盤２０と樹脂フィルム２２の積層体にて構成されていたが、遊技盤１８は、少なくとも、釘３０が固定される基盤２０を有しておればよい。それ故、遊技盤１８を、基盤２０のみにて、或いは基盤２０に対して、樹脂フィルム２２と、更にそれ以外の板材、シート材、フィルム材等を積層した複数層の積層体にて構成しても、何等差し支えない。なお、遊技盤１８を複数層の積層体にて構成する場合には、樹脂フィルム２２や、それ以外の板材、シート材、フィルム材等が、基盤２０の遊技面２６と遊技面２６側とは反対側の裏面のうちの何れに積層されていても良く、また、それら遊技面２６と裏面の両方に積層されていても良い。
【００５３】
さらに、前記実施形態では、遊技盤１８の基盤２０が、合成樹脂材料のみを用いて形成された透明な樹脂板にて構成されていたが、かかる基盤２０を、例えば、有色で光透過性を有する樹脂板や、有色で光不透過の樹脂板にて構成しても良い。或いは、基盤２０を、樹脂材料に所定のゴム材料等が混合された複合材料等を用いて形成したり、更には木粉や細かい木片を合成樹脂材料で固めて形成したりしても良い。
【００５４】
更にまた、前記実施形態では、下穴３６が、遊技面２６に直交する水平面：αに対して傾斜して延びる貫通孔にて、基盤２０に形成されていたが、下穴３６を、遊技面２６に直交する水平面：αに並行に延びる形態において、基盤２０に形成することも、勿論可能である。
【００５５】
加えて、前記実施形態では、本発明を、パチンコ機とそれに装備される遊技盤とに適用したものの具体例を示したが、本発明は、パチンコ機以外の弾球遊技機とそのような弾球遊技機用遊技盤の何れに対しても、有利に適用されるものであることは、勿論である。
【実施例】
【００５６】
以下に、本発明の代表的な実施例を示し、本発明を更に具体的に明らかにすることとするが、本発明が、そのような実施例の記載によって、何等の制約をも受けるものでないことは、言うまでもないところである。また、本発明には、以下の実施例の他にも、更には上記した具体的記述以外にも、本発明の趣旨を逸脱しない限りにおいて、当業者の知識に基づいて、種々なる変更、修正、改良等が加え得るものであることが、理解されるべきである。
【００５７】
先ず、ポリメタクリル酸メチルの所定量に、アクリルゴムを３０重量％の割合で混合してなるブレンド材料を用いた押出成形を行って、縦×横×厚さ：５００ｍｍ×５００ｍｍ×１０ｍｍの大きさの矩形平板からなる遊技盤を作製した。そして、この遊技盤に対して、図３及び図５に示される如き大径部（４４）と小径部（４６）とを備えた段付形状を呈する貫通孔からなる下穴（３６）を、遊技盤に直交する面に対して５°の角度で傾斜して延びるように形成した後、釘（３０）を、下穴（３６）の大径部（４４）の内周面と非接触とした状態で、小径部（４６）に圧入して、遊技盤（１８）に固定した。なお、ここでは、胴部の直径が１．８ｍｍで、頭部の直径が４．２ｍｍの釘を用いた。また、遊技盤に形成される下穴の大径部の内径を３．０ｍｍ、その最大深さを２．０ｍｍとする一方、下穴の小径部の内径を１．７５ｍｍとし、更に、大径部が開口する遊技盤の前面から突出する釘の突出部分の長さを１７．５ｍｍとした。そして、かくして釘が固定された遊技盤を試験例１とした。
【００５８】
また、比較のために、試験例１の遊技盤の形成材料と同一の材料を用いて、かかる試験例１の遊技盤と同一の大きさを有する矩形平板状の遊技盤を作製した後、この遊技盤に対して、釘の胴部の直径よりも小さな一定の内径を有する、円筒状の内周面を備えた下穴を、遊技盤に直交する面に対して５°の角度で傾斜して延びるように形成した。その後、試験例１の遊技盤に固定されたものと同一寸法を有する釘を、下穴内に圧入して、遊技盤に固定した。なお、ここでは、下穴の内径を１．７５ｍｍとし、また、遊技盤の前面から突出する釘の突出部分の長さを１７．５ｍｍとした。そして、かくして釘が固定された遊技盤を試験例２とした。
【００５９】
さらに、比較のために、ポリメタクリル酸メチルのみを用いた押出成形を行って、試験例１及び２と同一の大きさの矩形平板からなるものの、それらとは材質の異なる遊技盤を作製した。そして、この遊技盤に対して、試験例２の遊技盤に設けられた下穴と同一寸法の下穴を形成した後、試験例２の遊技盤に固定された釘を同一の釘を、かかる試験例２の遊技盤と同様な状態で固定した。そして、かくして釘が固定された遊技盤を試験例３とした。
【００６０】
更にまた、比較のために、試験例１〜３の遊技盤と同一の大きさの矩形平板からなる木製合板（ベニヤ板）にて、試験例１〜３の遊技盤とは材質の異なる遊技盤を作製した。そして、この遊技盤に対して、試験例２及び３の遊技盤に固定された釘と同一の釘を打ち付けて、固定した。この釘の遊技盤前面からの突出長さは、試験例１〜３の遊技盤に固定された釘の遊技盤前面からの突出長さと同一とした。そして、かくして釘が固定された遊技盤を試験例４とした。
【００６１】
次に、上記のようにして得られた試験例１〜４の４種類の遊技盤を用いて、各遊技盤に固定された釘の反発弾性力を下記の要領で調べた。
【００６２】
すなわち、各遊技盤を、鉛直方向に起立せしめられるように、所定のクランプにて固定した状態で、かかる遊技盤に垂直な方向（水平方向）に延びる回動軸回りに回動可能な重さ２０ｇの振り子を、鉛直線に対して５０°の傾斜角度となる位置まで持ち上げてから、自重により回動させることにより、かかる鉛直線上に位置するように各遊技盤に固定された釘の遊技盤からの突出部分に衝突させ、そのときの振り子の跳返り角度を、公知の手法により測定した。また、この振り子の跳返り試験では、釘の胴部における振り子の衝突位置を、遊技盤の前面から６ｍｍ、８ｍｍ、１０ｍｍ離間した３箇所の位置として、各衝突位置での振り子の跳返り角度を、それぞれ２回ずつ測定した。それらの結果を、下記表１に併せて示した。
【００６３】
【表１】
0005688878.tif 000002
【００６４】
かかる表１の結果から明らかなように、合成樹脂製の遊技盤に対して、従来と同様な構造で釘が固定されてなる試験例２と試験例３の遊技盤では、振り子の釘への衝突位置に関係なく、釘に衝突した振り子の跳返り角度が、試験例４の木製合板からなる遊技盤に打ち付けられた釘に衝突した振り子の跳返り角度よりも小さな値となっている。これに対して、合成樹脂製の遊技盤に対して、本発明に従う構造において釘が固定されてなる試験例１の遊技盤にあっては、振り子の釘への衝突位置に関係なく、釘に衝突した振り子の跳返り角度が、試験例４の木製合板からなる遊技盤に打ち付けられた釘に衝突した振り子の跳返り角度よりも大きな値となっている。
【００６５】
これは、本発明に従う遊技盤に固定された釘の反発弾性力が、従来構造を有する遊技盤に固定された釘の反発弾性力に比して十分に高められて、釘に当たったときの遊技球（パチンコ球）の跳返り量が効果的に大きく為され得ることを、如実に示しているのである。
【符号の説明】
【００６６】
１０  パチンコ機                        １８  遊技盤
２０  基盤                              ２２  樹脂フィルム
２６  遊技面                            ３０  釘
３６  下穴                              ３８  胴部
４０  頭部                              ４４  大径部
４６  小径部                            ４７  挿通孔
【図１】
0005688878.tif 000003
【図２】
0005688878.tif 000004
【図３】
0005688878.tif 000005
【図４】
0005688878.tif 000006
【図５】
0005688878.tif 000007
【図６】
0005688878.tif 000008
【図７】
0005688878.tif 000009